(57)【要約】【課題】スクロール移動を用いてタッチスクリーンディスプレイの操作性をさらに向上させる。【解決手段】筐体に備えられたタッチスクリーンディスプレイ上に表示される表示コンテンツの表示を制御する制御部を備え、制御部は、表示コンテンツが表示されている場合に、第１のタッチ操作が行われたことに応じて、表示コンテンツをスクロールさせ、タッチスクリーンディスプレイにおける下側領域の右又は左に対応する第２のタッチ操作が行われたことに応じて、タッチスクリーンディスプレイにおける上側の辺を第１の辺とするＬ字形状を含むスペーサを表示させ、第２のタッチ操作が行われる前にスペーサが表示される位置に表示されていた表示コンテンツを、第２のタッチ操作が行われたことに応じて、第２のタッチ操作が行われる前に表示コンテンツが表示されていた位置よりもスペーサに対応した下方に表示させる、情報処理装置を提供する。【選択図】図４
2020017311.tif 000002
【特許請求の範囲】
【請求項１】
筐体に備えられたタッチスクリーンディスプレイ上に表示される表示コンテンツの表示を制御する制御部を備え、
前記制御部は、前記表示コンテンツが表示されている場合に、前記表示コンテンツをスクロールさせる第１のタッチ操作が行われたことに応じて、前記表示コンテンツをスクロールさせ、前記表示コンテンツが表示されている場合に、前記タッチスクリーンディスプレイにおける下側領域の右又は左に対応する第２のタッチ操作が行われたことに応じて、少なくとも前記タッチスクリーンディスプレイにおける上側の辺を第１の辺とするＬ字形状を含むスペーサを表示させ、
前記第２のタッチ操作が行われる前に前記Ｌ字形状を含む前記スペーサが表示される位置に表示されていた前記表示コンテンツを、前記第２のタッチ操作が行われたことに応じて、前記第２のタッチ操作が行われる前に前記表示コンテンツが表示されていた位置よりも前記Ｌ字形状を含む前記スペーサに対応した下方に表示させる、情報処理装置。
【請求項２】
前記Ｌ字形状は、
少なくとも前記第１の辺を含み、
前記第２のタッチ操作における右又は左に対応する前記タッチスクリーンディスプレイにおける右辺又は左辺を第２の辺とする形状である、請求項１に記載の情報処理装置。
【請求項３】
前記Ｌ字形状は、
前記第２のタッチ操作が前記タッチスクリーンディスプレイにおける下側領域の右側領域を起点とする場合、前記第２の辺が前記左辺である、または、
前記第２のタッチ操作が前記タッチスクリーンディスプレイにおける下側領域の左側領域を起点とする場合、前記第２の辺が前記右辺である、請求項２に記載の情報処理装置。
【請求項４】
前記スペーサは、前記第２のタッチ操作が行われる前に表示されている前記表示コンテンツとは異なるコンテンツを含む、請求項１に記載の情報処理装置。
【請求項５】
前記異なるコンテンツは、広告情報を含む、請求項４に記載の情報処理装置。
【請求項６】
前記異なるコンテンツは、前記第２のタッチ操作が行われる前には前記タッチスクリーンディスプレイ上に表示されていない操作子を含む、請求項４に記載の情報処理装置。
【請求項７】
前記表示コンテンツは操作子を含み、
前記制御部は、前記第２のタッチ操作に応じて前記表示コンテンツの表示位置が変更された後にも前記操作子を操作可能に維持する、請求項１に記載の情報処理装置。
【請求項８】
前記タッチスクリーンディスプレイは、前記筐体がユーザの手により把持された状態で前記ユーザが前記タッチスクリーンディスプレイを操作可能となるように前記筐体に備えられる、請求項１に記載の情報処理装置。
【請求項９】
前記表示コンテンツを記憶する記憶部と、
無線通信ネットワークを介して前記表示コンテンツをダウンロードする通信部と、
をさらに備える、請求項８に記載の情報処理装置。
【請求項１０】
筐体に備えられたタッチスクリーンディスプレイ上に表示される表示コンテンツの表示をプロセッサが制御すること、
を含み、
前記表示コンテンツが表示されている場合に、前記表示コンテンツをスクロールさせる第１のタッチ操作が行われたことに応じて、前記表示コンテンツをスクロールさせ、
前記表示コンテンツが表示されている場合に、前記タッチスクリーンディスプレイにおける下側領域の右又は左に対応する第２のタッチ操作が行われたことに応じて、少なくとも前記タッチスクリーンディスプレイにおける上側の辺を第１の辺とするＬ字形状を含むスペーサを表示させることと、
前記第２のタッチ操作が行われる前に前記Ｌ字形状を含む前記スペーサが表示される位置に表示されていた前記表示コンテンツを、前記第２のタッチ操作が行われたことに応じて、前記第２のタッチ操作が行われる前に前記表示コンテンツが表示されていた位置よりも前記Ｌ字形状を含む前記スペーサに対応した下方に表示させることと、を含む情報処理方法。
【請求項１１】
コンピュータを、
筐体に備えられたタッチスクリーンディスプレイ上に表示される表示コンテンツの表示を制御する制御部、として機能させるためのプログラムであって、
前記制御部は、前記表示コンテンツが表示されている場合に、前記表示コンテンツをスクロールさせる第１のタッチ操作が行われたことに応じて、前記表示コンテンツをスクロールさせ、前記表示コンテンツが表示されている場合に、前記タッチスクリーンディスプレイにおける下側領域の右又は左に対応する第２のタッチ操作が行われたことに応じて、少なくとも前記タッチスクリーンディスプレイにおける上側の辺を第１の辺とするＬ字形状を含むスペーサを表示させ、
前記第２のタッチ操作が行われる前に前記Ｌ字形状を含む前記スペーサが表示される位置に表示されていた前記表示コンテンツを、前記第２のタッチ操作が行われたことに応じて、前記第２のタッチ操作が行われる前に前記表示コンテンツが表示されていた位置よりも前記Ｌ字形状を含む前記スペーサに対応した下方に表示させる、プログラム。
【発明の詳細な説明】
【技術分野】
【０００１】
本開示は、情報処理装置、情報処理方法およびプログラムに関する。
【背景技術】
【０００２】
近年、タッチスクリーンディスプレイを備えた端末装置が急速に普及している。こうした装置では、例えば特許文献１に記載されているように、ディスプレイに表示されたコンテンツがスクロール表示される。スクロール表示によって、例えばディスプレイに全体が収まらないようなコンテンツを部分的にディスプレイに表示させ、表示させる部分をスクロールさせることによってコンテンツ全体を表現することができる。
【先行技術文献】
【特許文献】
【０００３】
【特許文献１】特表２０１２−５２４３１８号公報
【発明の概要】
【発明が解決しようとする課題】
【０００４】
上記のようなタッチスクリーンディスプレイにおけるスクロール表示は、ディスプレイに表示されるコンテンツの部分を移動させるという機能に加えて、ディスプレイに表示される操作対象を移動させるという機能をも実現しうる。例えば、Ｗｅｂページのコンテンツに含まれるリンクまたはボタンなどの操作子を、スクロールによってユーザの指が届きやすい位置まで移動させることができる。このような操作は、例えば最近のモバイル端末装置のディスプレイの大型化に伴って、その有用性が増している。
【０００５】
しかしながら、スクロール表示は本来的にはコンテンツをディスプレイに表示させることを目的としているため、上記のように操作対象を指が届きやすい位置まで移動させるという機能は必ずしも実現されるとは限らない。例えば、ユーザが操作したい操作子がコンテンツの端部に位置している場合、スクロールはコンテンツの端部で終わるため、操作子をユーザの所望の位置まで動かすことは難しい。
【０００６】
そこで、本開示では、スクロール移動を用いてタッチスクリーンディスプレイの操作性をさらに向上させることが可能な、新規かつ改良された情報処理装置、情報処理方法およびプログラムを提案する。
【課題を解決するための手段】
【０００７】
本開示によれば、筐体に備えられたタッチスクリーンディスプレイ上に表示される表示コンテンツの表示を制御する制御部を備え、前記制御部は、前記表示コンテンツが表示されている場合に、前記表示コンテンツをスクロールさせる第１のタッチ操作が行われたことに応じて、前記表示コンテンツをスクロールさせ、前記表示コンテンツが表示されている場合に、前記タッチスクリーンディスプレイにおける下側領域の右又は左に対応する第２のタッチ操作が行われたことに応じて、少なくとも前記タッチスクリーンディスプレイにおける上側の辺を第１の辺とするＬ字形状を含むスペーサを表示させ、前記第２のタッチ操作が行われる前に前記Ｌ字形状を含む前記スペーサが表示される位置に表示されていた前記表示コンテンツを、前記第２のタッチ操作が行われたことに応じて、前記第２のタッチ操作が行われる前に前記表示コンテンツが表示されていた位置よりも前記Ｌ字形状を含む前記スペーサに対応した下方に表示させる、情報処理装置が提供される。
【０００８】
また、本開示によれば、筐体に備えられたタッチスクリーンディスプレイ上に表示される表示コンテンツの表示をプロセッサが制御すること、を含み、前記表示コンテンツが表示されている場合に、前記表示コンテンツをスクロールさせる第１のタッチ操作が行われたことに応じて、前記表示コンテンツをスクロールさせ、前記表示コンテンツが表示されている場合に、前記タッチスクリーンディスプレイにおける下側領域の右又は左に対応する第２のタッチ操作が行われたことに応じて、少なくとも前記タッチスクリーンディスプレイにおける上側の辺を第１の辺とするＬ字形状を含むスペーサを表示させることと、
前記第２のタッチ操作が行われる前に前記Ｌ字形状を含む前記スペーサが表示される位置に表示されていた前記表示コンテンツを、前記第２のタッチ操作が行われたことに応じて、前記第２のタッチ操作が行われる前に前記表示コンテンツが表示されていた位置よりも前記Ｌ字形状を含む前記スペーサに対応した下方に表示させることと、を含む情報処理方法が提供される。
【０００９】
また、本開示によれば、コンピュータを、筐体に備えられたタッチスクリーンディスプレイ上に表示される表示コンテンツの表示を制御する制御部、として機能させるためのプログラムであって、前記制御部は、前記表示コンテンツが表示されている場合に、前記表示コンテンツをスクロールさせる第１のタッチ操作が行われたことに応じて、前記表示コンテンツをスクロールさせ、前記表示コンテンツが表示されている場合に、前記タッチスクリーンディスプレイにおける下側領域の右又は左に対応する第２のタッチ操作が行われたことに応じて、少なくとも前記タッチスクリーンディスプレイにおける上側の辺を第１の辺とするＬ字形状を含むスペーサを表示させ、前記第２のタッチ操作が行われる前に前記Ｌ字形状を含む前記スペーサが表示される位置に表示されていた前記表示コンテンツを、前記第２のタッチ操作が行われたことに応じて、前記第２のタッチ操作が行われる前に前記表示コンテンツが表示されていた位置よりも前記Ｌ字形状を含む前記スペーサに対応した下方に表示させる、プログラムが提供される。
【発明の効果】
【００１０】
以上説明したように本開示によれば、スクロール移動を用いてタッチスクリーンディスプレイの操作性をさらに向上させることができる。
【図面の簡単な説明】
【００１１】
【図１】本開示の第１の実施形態に係る端末装置の概略的な機能構成を示すブロック図である。
【図２】本開示の第１の実施形態に係る端末装置における第１の表示例を示す図である。
【図３】本開示の第１の実施形態に係る端末装置における第２の表示例を示す図である。
【図４】本開示の第２の実施形態に係る端末装置における第１の表示例を示す図である。
【図５】本開示の第２の実施形態に係る端末装置における第２の表示例を示す図である。
【図６】本開示の第３の実施形態に係る端末装置における第１の表示例を示す図である。
【図７】本開示の第３の実施形態に係る端末装置における第２の表示例を示す図である。
【図８】本開示の第４の実施形態に係る端末装置における処理の例を示すフローチャートである。
【図９】本開示の他の実施形態における上方へのスクロール移動の例を示す図である。
【図１０】本開示の他の実施形態における上方へのスクロール移動の例を示す図である。
【図１１】本開示の他の実施形態における自動停止およびスペーサの表示の例を示す図である。
【図１２】図１１に示したスクロール移動を元に戻すときの表示例を示す図である。
【図１３】図１１に示したスクロール移動を元に戻すときの別の表示例を示す図である。
【図１４】図１１に示したスクロール移動を元に戻すときのさらに別の表示例を示す図である。
【図１５】本開示の他の実施形態における横画面の表示例を示す図である。
【図１６】本開示の他の実施形態における大型画面の表示例を示す図である。
【発明を実施するための形態】
【００１２】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１３】
なお、説明は以下の順序で行うものとする。
１．第１の実施形態
１−１．装置構成
１−２．表示例
２．第２の実施形態
３．第３の実施形態
４．第４の実施形態
５．その他の実施形態
５−１．上方へのスクロール移動
５−２．自動停止およびスペーサの表示
５−３．元に戻すときの表示
５−４．横画面の場合の表示
５−５．大型画面の場合の表示
６．補足
【００１４】
（１．第１の実施形態）
（１−１．装置構成）
図１は、本開示の第１の実施形態に係る端末装置の概略的な機能構成を示すブロック図である。図１を参照すると、端末装置１００は、タッチスクリーンディスプレイ１１０と、制御部１２０と、記憶部１３０と、通信部１４０とを含む。これらの機能構成は、例えば後述する情報処理装置のハードウェア構成によって実現されうる。
【００１５】
端末装置１００は、例えばスマートフォン、タブレット端末、携帯型ゲーム機、またはメディアプレーヤなど、タッチスクリーンディスプレイを用いて操作される装置である。
【００１６】
タッチスクリーンディスプレイ１１０は、表示部１１２と、操作部１１４とを含む。表示部１１２は、例えばＬＣＤ（Liquid  Crystal  Display）、または有機ＥＬ（Electro-Luminescence）ディスプレイなどの表示装置であり、制御部１２０の制御に従って各種の画像を表示してユーザに提示する。操作部１１４は、例えば各種方式のタッチセンサであり、表示部１１２の画面にユーザから与えられた接触を検出し、操作入力として制御部１２０に提供する。
【００１７】
ここで、端末装置１００は、表示部１１２による画像の表示、および／または図示しないスピーカによる音声の出力によって、例えばＷｅｂページや画像、動画、音楽などのコンテンツをユーザに提供することが可能である。また、表示部１１２は、これらのコンテンツを示す文字列、サムネイル画像、またはアイコンなどが配列されたコンテンツリストを表示しうる。さらに、表示部１１２は画像中に操作子を表示しうる。操作子は、例えばコンテンツとともに表示されてコンテンツに対する再生、停止、移動などの操作を受け付けたり、コンテンツリストとともに表示されて各コンテンツに対する再生、削除、移動などの操作を受け付けたりすることが可能な、例えばボタンやスライダなどのＧＵＩ（Graphical  User  Interface）部品である。
【００１８】
また、表示部１１２では、例えばコンテンツやコンテンツリストがスクロールを伴って表示される場合がある。より具体的には、Ｗｅｂページの全体が表示部１１２のサイズには収まらない場合、表示部１１２にはＷｅｂページの一部が表示され、ユーザのドラッグ操作やフリック操作などによって表示部分が移動しうる。また、例えば、全コンテンツを表示するコンテンツリストが表示部１１２のサイズには収まらない場合、表示部１１２にはコンテンツリストの一部が表示され、ユーザのドラッグ操作やフリック操作などによってコンテンツリストに表示されるコンテンツの範囲が移動する。
【００１９】
制御部１２０は、ＣＰＵ（Central  Processing  unit）などのプロセッサであり、記憶部１３０に格納されたプログラムに従って動作することによって端末装置１００の各部を制御する。例えば、制御部１２０は、タッチスクリーンディスプレイ１１０の表示を制御する。より具体的には、制御部１２０は、操作部１１４によって取得された操作入力に応じて、後述する記憶部１３０または通信部１４０から取得したコンテンツやコンテンツリストの表示部１１２への表示を制御する。また、制御部１２０は、記憶部１３０または通信部１４０から取得した情報に基づいて、コンテンツリストを生成して表示部１１２に表示させてもよい。さらに、制御部１２０は、操作部１１４によって取得された操作入力に応じて、記憶部１３０に格納されたコンテンツのデータを操作したり、通信部１４０を介してネットワーク上のコンテンツのデータを操作したりしてもよい。
【００２０】
ここで、制御部１２０は、タッチスクリーンディスプレイ１１０に表示されるドキュメントを、ドキュメントを含む表示領域内でスクロールさせる第１のスクロール制御を実行する。また、制御部１２０は、表示領域自体をスクロール移動させる第２のスクロール制御を実行する。ここで、第２のスクロール制御は、表示領域を一時的（temporary）にスクロール移動させるものでありうる。第２のスクロール制御において、表示領域のスクロール移動によって生じた表示空白部分には、ドキュメントとは異なるスペーサが表示されうる。なお、第２のスクロール制御において、表示領域に含まれる操作子の少なくとも一部は、操作可能に維持される。なお、上記の各スクロール制御の詳細については後述する。
【００２１】
記憶部１３０は、例えば半導体メモリ、またはＨＤＤ（Hard  Disk  Drive）などであり、端末装置１００で使用される各種のデータを記憶する。記憶部１３０は、さらに、端末装置１００に接続されたリムーバブル記録媒体を含んでもよい。記憶部１３０は、例えば、プロセッサが制御部１２０として機能するためのプログラムを記憶する。また、記憶部１３０は、制御部１２０によって再生されて表示部１１２および／または音声出力部から出力されるコンテンツのデータを記憶してもよい。
【００２２】
通信部１４０は、有線または無線の各種通信方式によってネットワークに接続される通信装置である。通信部１４０は、例えば、表示部１１２および／または音声出力部から出力されるコンテンツのデータをネットワーク上の他の装置からダウンロードする。また、通信部１４０は、制御部１２０が操作部１１４から取得した操作入力に応じて、ネットワーク上の他の装置にあるコンテンツに対して削除や移動などの操作を加えてもよい。また、通信部１４０は、プロセッサが制御部１２０として機能するためのプログラムをネットワーク上の他の装置からダウンロードして記憶部１３０に提供してもよい。
【００２３】
（１−２．表示例）
図２は、本開示の第１の実施形態に係る端末装置における第１の表示例を示す図である。図２を参照すると、端末装置１００のタッチスクリーンディスプレイ１１０に表示されている画面５００には、ステータスバー５０１と、メニューバー５０３と、コンテンツ領域５０５とが含まれる。図示された例において、コンテンツ領域５０５にはＷｅｂページが表示されている。Ｗｅｂページのようなコンテンツは、本明細書においてドキュメントとして参照されるものの一例である。
【００２４】
図２Ａに示す状態では、コンテンツ領域５０５にＷｅｂページが最初の部分（Ｌｉｎｅ１）から表示されている。Ｗｅｂページのより後の部分はこの時点ではコンテンツ領域５０５に表示されていないため、ユーザはタッチスクリーンディスプレイ１１０へのドラッグ操作やフリック操作によってコンテンツをコンテンツ領域５０５内で上向きにスクロールさせて、これらの部分を表示させる。一方、図２Ａに示す状態では、既にＷｅｂページの最初の部分（Ｌｉｎｅ１）が表示されているために、コンテンツの閲覧という観点からは、これ以上コンテンツを下向きにスクロールさせる必要はない。
【００２５】
ところが、例えばユーザが端末装置１００を片手で把持して操作しており、タッチスクリーンディスプレイ１１０を操作するユーザの指がコンテンツ領域５０５の下側に位置している場合、コンテンツ領域５０５の上側に表示されたＷｅｂページの端部（Ｌｉｎｅ１付近）にある操作子に対する操作が容易ではない場合がある。例えば、Ｗｅｂページの場合、コンテンツ中に表示されたリンクを選択したり、ボタンを押したり、テキスト入力を選択したりといった操作が生じうる。タッチスクリーンディスプレイ１１０におけるコンテンツ領域５０５の表示位置が固定されている（つまり、ウインドウとして自由に移動されない）場合、このような現象は特に顕著でありうる。なお、図示された例ではＷｅｂページがＬｉｎｅ１，Ｌｉｎｅ２，・・・と表示されているが、これはＷｅｂページがテキストのみによって構成されていることを意味しない。Ｗｅｂページは、画像、およびリンクもしくはボタンなどの操作子を含み、それがＬｉｎｅ１などとして図示されている部分に表示されていてもよい。
【００２６】
そこで、本実施形態では、図２Ｂに示すように、制御部１２０の制御によって、コンテンツ領域５０５自体がスクロール移動する。図示された例では、コンテンツ領域５０５が、上方に接して表示されていたメニューバー５０３から離れて下方にスクロール移動している。このスクロール移動は一時的なもの（temporary）であるが、瞬間的なもの（transient）ではない。つまり、図２Ｂに示すようにコンテンツ領域５０５がスクロール移動した状態は、例えばユーザによって次の操作が与えられるまで維持されうる。この状態において、コンテンツ領域５０５に含まれるＷｅｂページ内のリンクやボタンなどの操作子は、操作可能に維持される。従って、ユーザは、コンテンツ領域５０５をスクロール移動させてＷｅｂページの最初の部分（Ｌｉｎｅ１付近）を画面５００の下側に移動させたうえで、この部分に含まれる操作子に対して所望の操作をすることが可能である。これによって、コンテンツ領域５０５のスクロール移動の前には操作が容易ではなかった部分の操作子についても、容易に操作をすることができる。
【００２７】
一方、コンテンツ領域５０５のスクロール移動によって生じたメニューバー５０３とコンテンツ領域５０５との間の空白部分には、スペーサ５０７が表示される。スペーサ５０７は、例えばコンテンツ領域５０５に表示されるコンテンツとは区別されるように表示され、コンテンツの下向きのスクロールが既に終了していることを表現してもよい。スペーサ５０７としては、例えば単純な図形などの画像を表示させてもよいし、広告などの別のコンテンツを表示させてもよい。スペーサ５０７として表示される画像またはコンテンツは、例えばコンテンツ領域５０５の下方へのスクロール移動とともに上方からスライドして現れてもよい。あるいは、スペーサ５０７として表示される画像またはコンテンツは、コンテンツ領域５０５の背後に位置し、コンテンツ領域５０５の下方へのスクロール移動によって隠されていた部分が現れるように表示されてもよい。
【００２８】
図２Ｂに示したようなコンテンツ領域５０５のスクロール移動（制御部１２０による第２のスクロール制御によって実現される）は、コンテンツ領域５０５に表示されたコンテンツのスクロール（制御部１２０による第１のスクロール制御によって実現される）とは別途に実装されうる。例えば、制御部１２０は、タッチスクリーンディスプレイ１１０の操作部１１４によってコンテンツのスクロールのための第１のユーザ操作とは異なる第２のユーザ操作が取得された場合に、コンテンツ領域５０５をスクロール移動させる第２のスクロール制御を実行してもよい。ここで、上記の第１のユーザ操作と第２のユーザ操作とは、互いに異なる操作でありうる。例えば、第１のユーザ操作と第２のユーザ操作とは、タッチスクリーンディスプレイ１１０上の表示領域（例えばコンテンツ領域５０５）に対する互いに異なるタッチ操作でありうる。より具体的には、コンテンツのスクロールのための第１のユーザ操作がドラッグ操作および／またはフリック操作である場合、コンテンツ領域５０５のスクロール移動のための第２のユーザ操作は、例えばダブルタップの２回目でフリックする、指の腹で長押しする、指の腹で長押しした後にフリックする、指の腹でドラッグする、タップしながら指を上下に数回動かした後にフリックする、（付加的に）端末装置１００の背面に設けられたタッチセンサを操作する、（付加的に）端末装置１００の側面またはディスプレイの縁に設けられたタッチセンサを操作する、タップしながら端末装置１００をシェイクする、などでありうる。なお、指の腹での長押しやドラッグは、例えば接触面積の違いによって指先での長押しやドラッグとは区別されうるが、本明細書ではこれらの操作がいずれもタッチ操作として説明されうる。本実施形態では、上記のいくつかの例のように、第１のユーザ操作は、第２のユーザ操作に比較して簡潔な操作であってもよい。また、スクロール移動のための所定の操作は、タッチスクリーンディスプレイ１１０上のコンテンツ領域５０５以外の領域に対する操作を含んでもよく、またタッチスクリーンディスプレイ１１０の周囲の筐体上に配置された操作部（例えば端末装置１００の背面、側面またはディスプレイの縁に設けられたタッチセンサ）に対する操作を含んでもよい。
【００２９】
上記のような所定の操作によってコンテンツ領域５０５のスクロール移動が開始された場合、以降のドラッグ操作やフリック操作は、例えば後述するコンテンツ領域５０５のスクロール移動を元に戻す操作が取得されるまで、コンテンツ領域５０５のスクロール移動量を制御する操作として扱われてもよい。つまり、上記の所定の操作が取得された場合、制御部１２０は、画面５００の表示制御のモードを、コンテンツ領域５０５内でコンテンツをスクロールさせるモードから、コンテンツ領域５０５自体をスクロール移動させるモードへと切り替えてもよい。これによって、ユーザがコンテンツ領域５０５をスクロール移動によって所望の位置に配置することが容易になりうる。
【００３０】
あるいは、制御部１２０は、操作部１１４によって取得されるコンテンツのスクロールのための操作に応じて、コンテンツのスクロールに引き続いてコンテンツ領域５０５のスクロール移動を実行してもよい。この場合、コンテンツのスクロールのための操作、例えばドラッグ操作やフリック操作が、コンテンツ領域５０５に表示されたコンテンツが端部（図示された例ではＬｉｎｅ１が表示されている上端部）に到達しても継続して取得された場合、自動的にコンテンツ領域５０５のスクロール移動が実行されうる。この場合、ユーザはコンテンツ領域５０５をスクロール移動させるにあたって、それまでのコンテンツのスクロールの場合と操作を切り替える必要がない。ここで、上記のようにユーザがコンテンツ領域５０５のスクロールを望んでいなかったような場合、ユーザは例えば逆向きにコンテンツをスクロールさせる操作を実行することによってコンテンツ領域５０５のスクロールを元に戻せばよい。
【００３１】
スクロール移動されたコンテンツ領域５０５は、例えば、ユーザが上記の所定の操作をもう一度実行したり、逆向きに実行したり、コンテンツ領域５０５がスクロール移動した状態で表示されたＷｅｂページ中の操作子に対する操作を実行した場合に元に戻りうる。
【００３２】
図３は、本開示の第１の実施形態に係る端末装置における第２の表示例を示す図である。図３を参照すると、端末装置１００のタッチスクリーンディスプレイ１１０に表示されている画面６００には、ステータスバー６０１と、メニューバー６０３と、コンテンツリスト領域６０５とが含まれる。図示された例において、コンテンツリスト領域６０５には画像コンテンツのサムネイルが表示されている。サムネイルは、タッチスクリーンディスプレイ１１０の表示部１１２によって提供されるコンテンツリスト領域６０５には収まらないため、スクロールを伴って表示される。このようなコンテンツリストも、本明細書においてドキュメントとして参照されるものの一例である。
【００３３】
図３Ａに示す状態では、コンテンツリスト領域６０５にサムネイルの最初の部分（Ｐ１〜Ｐ９）が表示されている。サムネイルのより後の部分（Ｐ１０以降）はこの時点ではコンテンツリスト領域６０５に表示されていないため、ユーザはタッチスクリーンディスプレイ１１０へのドラッグ操作やフリック操作によってコンテンツリストを上向きにスクロールさせて、これらのサムネイルを表示させる。一方、図３Ａに示す状態では、最初のサムネイル（Ｐ１）が表示されているために、サムネイルの閲覧という観点からは、これ以上コンテンツリストを下向きにスクロールさせる必要はない。
【００３４】
ところが、例えばユーザが端末装置１００を片手で把持して操作しており、タッチスクリーンディスプレイ１１０を操作するユーザの指がコンテンツリスト領域６０５の下側に位置している場合、コンテンツリスト領域６０５の上側に表示されたサムネイル（例えばＰ１〜Ｐ３）に対して何らかの操作をすることが容易ではない場合がある。例えば、画像コンテンツのサムネイルの場合、サムネイルを選択して画像コンテンツを表示させたり、削除したり、タグをつけたりといった操作が生じうる。また、別の例として、コンテンツリスト領域に音楽コンテンツのタイトルまたはサムネイル画像が表示される場合であれば、タイトルまたは画像を選択して音楽コンテンツを再生させたり、削除したり、タグをつけたりといった操作が生じうる。
【００３５】
そこで、本実施形態では、図３Ｂに示すように、制御部１２０の制御によって、コンテンツリスト領域６０５自体がスクロール移動する。図示された例では、コンテンツリスト領域６０５が、上方に接して表示されていたメニューバー６０３から離れて下方にスクロール移動している。このスクロール移動も、上記の第１の表示例と同様に一時的なもの（temporary）であるが、瞬間的なもの（transient）ではない。つまり、図３Ｂに示すようにコンテンツリスト領域６０５がスクロール移動した状態は、例えばユーザによって次の操作が与えられるまで維持されうる。この状態において、コンテンツリスト領域６０５に含まれるサムネイル（画像コンテンツに関する種々の操作が可能であるため、操作子の一種といえる）は、操作可能に維持される。従って、ユーザは、コンテンツリスト領域６０５をスクロール移動させて最初の方のサムネイル（例えばＰ１〜Ｐ３）を画面の下側に移動させたうえで、これらのサムネイルに対して所望の操作をすることが可能である。これによって、コンテンツリスト領域６０５のスクロール移動の前には操作が容易ではなかったサムネイルについても、容易に操作をすることができる。
【００３６】
一方、コンテンツリスト領域６０５のスクロール移動によって生じたメニューバー６０３とコンテンツリスト領域６０５との間の空白部分には、スペーサ６０７が表示される。スペーサ６０７は、例えばコンテンツリスト領域６０５に表示されるサムネイルとは区別されるように表示され、コンテンツリストの下向きのスクロールが既に終了していることを表現してもよい。スペーサ６０７としては、例えば単純な図形などの画像を表示させてもよいし、広告などの別のコンテンツを表示させてもよい。スペーサ６０７として表示される画像またはコンテンツは、例えばコンテンツリスト領域６０５の下方へのスクロール移動とともに上方からスライドして現れてもよい。あるいは、スペーサ６０７として表示される画像またはコンテンツは、コンテンツリスト領域６０５の背後に位置し、コンテンツリスト領域６０５の下方へのスクロール移動によって隠されていた部分が現れるように表示されてもよい。
【００３７】
図３Ｂに示したようなコンテンツリスト領域６０５のスクロール移動も、上記の第１の表示例と同様に、コンテンツリスト領域６０５に表示されたコンテンツリストのスクロールとは別途に実行されうる。そこで、例えば、制御部１２０は、タッチスクリーンディスプレイ１１０の操作部１１４によってコンテンツリストのスクロールのための操作とは異なる所定の操作が取得された場合に、コンテンツリスト領域６０５のスクロール移動を実行してもよい。コンテンツリストのスクロールのための操作、およびコンテンツリスト領域のスクロール移動のための操作の例については、上記の第１の表示例におけるコンテンツのスクロールのための操作およびコンテンツ領域のスクロール移動のための操作の例と同様であるため、ここでは重複した説明を省略する。
【００３８】
所定の操作によってコンテンツリスト領域６０５のスクロール移動が開始された場合、以降のドラッグ操作やフリック操作は、例えば後述するコンテンツリスト領域６０５のスクロール移動を元に戻す操作が取得されるまで、コンテンツリスト領域６０５のスクロール移動量を制御する操作として扱われてもよい。つまり、上記の所定の操作が取得された場合、制御部１２０は、画面６００の表示制御のモードを、コンテンツリスト領域６０５内でサムネイルなどをスクロールさせるモードから、コンテンツリスト領域６０５自体をスクロール移動させるモードへと切り替えてもよい。これによって、コンテンツリスト領域６０５が所望の位置までスクロール移動するように調節することが容易になりうる。
【００３９】
あるいは、制御部１２０は、操作部１１４によって取得されるコンテンツリストのスクロールのための操作に応じて、コンテンツリストのスクロールに引き続いてコンテンツリスト領域６０５のスクロール移動を実行してもよい。この場合、コンテンツリストのスクロールのための操作、例えばドラッグ操作やフリック操作が、コンテンツリスト領域６０５に表示されたサムネイルが先頭（図示された例ではＰ１）に到達しても継続して取得された場合、自動的にコンテンツリスト領域６０５のスクロール移動が実行されうる。この場合、ユーザはコンテンツリスト領域６０５をスクロール移動させるにあたって、それまでのコンテンツリストのスクロールの場合と操作を切り替える必要がない。ここで、ユーザがコンテンツリスト領域６０５のスクロールを望んでいなかったような場合、ユーザは例えば逆向きにコンテンツリストをスクロールさせる操作を実行することによってコンテンツリスト領域６０５のスクロールを元に戻せばよい。
【００４０】
スクロール移動されたコンテンツリスト領域６０５は、例えば、ユーザが上記の所定の操作をもう一度実行したり、逆向きに実行したり、コンテンツリスト領域６０５がスクロール移動した状態で表示されたサムネイルに対する操作を実行した場合に元に戻りうる。
【００４１】
（２．第２の実施形態）
次に、図４および図５を参照して、本開示の第２の実施形態について説明する。本実施形態は、コンテンツ領域やコンテンツリスト領域がメニューバーとともにスクロール移動する点で、上記の第１の実施形態とは異なる。なお、それ以外の点については第１の実施形態と同様であるため、重複した説明は省略する。
【００４２】
図４は、本開示の第２の実施形態に係る端末装置における第１の表示例を示す図である。図４を参照すると、端末装置１００のタッチスクリーンディスプレイ１１０に表示されている画面５００には、ステータスバー５０１と、メニューバー５０３と、コンテンツ領域５０５とが含まれる。図示された例において、コンテンツ領域５０５にはＷｅｂページが表示されている。
【００４３】
図４Ａに示す状態では、コンテンツ領域５０５にＷｅｂページが表示されている。コンテンツ領域５０５に表示されたＷｅｂページに対する操作、例えば進む、戻る、再読み込み、停止、ブックマーク登録などは、メニューバー５０３に配置されたボタンなどの操作子によって取得されうる。つまり、メニューバー５０３は、Ｗｅｂページに関する操作を受け付ける操作子が配置された操作子配置領域ともいえる。しかし、例えばユーザが端末装置１００を片手で把持して操作しており、タッチスクリーンディスプレイ１１０を操作するユーザの指がコンテンツ領域５０５の下側に位置している場合、上側にあるメニューバー５０３に配置された操作子の操作が容易ではない場合がある。
【００４４】
そこで、本実施形態では、図４Ｂおよび図４Ｃに示すように、制御部１２０の制御によって、メニューバー５０３がコンテンツ領域５０５とともにスクロール移動する。図示された例では、メニューバー５０３が、上方に接して表示されていたステータスバー５０１から離れて下方にスクロール移動している。このスクロール移動は一時的なもの（temporary）であるが、瞬間的なもの（transient）ではない。つまり、図４Ｂまたは図４Ｃに示すようにメニューバー５０３がスクロールした状態は、例えばユーザによって次の操作が与えられるまで維持されうる。この状態において、メニューバー５０３に含まれるボタンなどの操作子は、操作可能に維持される。従って、ユーザは、メニューバー５０３を画面５００の下側に移動させたうえで、メニューバー５０３に含まれる操作子に対して所望の操作をすることが可能である。つまり、ユーザは、例えば端末装置１００の把持状態を変更することなく、容易にメニューバー５０３の操作子を操作することができる。
【００４５】
一方、メニューバー５０３、およびコンテンツ領域５０５のスクロール移動によって生じたステータスバー５０１とメニューバー５０３との間の空白部分には、スペーサ５０７が表示される。スペーサ５０７としては、例えば単純な図形などの画像を表示させてもよいし、広告などの別のコンテンツを表示させてもよい。あるいは、スペーサ５０７として、メニューバー５０３には含まれていない追加の操作子が表示されてもよい。スペーサ５０７として表示される画像、コンテンツ、または操作子は、例えばメニューバー５０３の下方へのスクロール移動とともに上方からスライドして現れてもよい。あるいは、スペーサ５０７として表示される画像、コンテンツ、または操作子は、メニューバー５０３およびコンテンツ領域５０５の背後に位置し、メニューバー５０３の下方へのスクロール移動によって隠されていた部分が現れるように表示されてもよい。
【００４６】
図４Ｂおよび図４Ｃに示したようなメニューバー５０３のスクロール移動は、コンテンツ領域５０５に表示されたコンテンツのスクロールとは別途に実行されうる。例えば、制御部１２０は、タッチスクリーンディスプレイ１１０の操作部１１４によってコンテンツのスクロールのための操作とは異なる所定の操作が取得された場合に、メニューバー５０３のスクロール移動を実行してもよい。コンテンツのスクロールのための操作、およびメニューバーのスクロール移動のための操作の例については、上記の第１の実施形態におけるコンテンツのスクロールのための操作およびコンテンツ領域のスクロール移動のための操作の例と同様であるため、ここでは重複した説明を省略する。
【００４７】
さらに、制御部１２０は、上記の所定の操作について、コンテンツ領域５０５をスクロール移動させるための操作とメニューバー５０３をスクロール移動させるための操作とをそれぞれ設定し、これらの領域のスクロール移動を選択的に実行してもよい。例えば、制御部１２０は、ダブルタップの後にフリックする操作をコンテンツ領域５０５のスクロール移動のための操作に設定し、指の腹で長押しした後にフリックする動作をメニューバー５０３のスクロール移動のための操作に設定してもよい。
【００４８】
所定の操作によってメニューバー５０３のスクロール移動が開始された場合、以降のドラッグ操作やフリック操作は、例えば後述するメニューバー５０３のスクロール移動を元に戻す操作が取得されるまで、メニューバー５０３のスクロール移動量を制御する操作として扱われてもよい。つまり、上記の所定の操作が取得された場合、制御部１２０は、画面５００の表示制御のモードを、コンテンツ領域５０５内でコンテンツをスクロールさせるモードから、メニューバー５０３およびコンテンツ領域５０５をスクロール移動させるモードへと切り替えてもよい。これによって、ユーザがメニューバー５０３をスクロール移動によって所望の位置に配置することが容易になりうる。
【００４９】
上記のような操作によってユーザがメニューバー５０３を所望の位置に配置した結果、図４Ｃのようにメニューバー５０３が画面５００の下端に表示されてコンテンツ領域５０５が表示されなくなった状態でユーザの次の操作が取得される場合もありうる。また、図４Ｂのようにメニューバー５０３が画面５００の中ほどに表示され、その下にコンテンツ領域５０５が表示された状態でユーザの次の操作が取得されてもよい。このとき、ユーザはメニューバー５０３に対する操作をするためにメニューバー５０３のスクロール移動を実行していると考えられるため、コンテンツ領域５０５に表示されている操作子を無効化してもよい。あるいは、ユーザの操作の自由度を高めるために、コンテンツ領域５０５に表示される操作子が操作可能に維持されてもよい。
【００５０】
スクロール移動されたメニューバー５０３は、例えば、ユーザが上記の所定の操作をもう一度実行したり、逆向きに実行したり、メニューバー５０３がスクロール移動した状態でメニューバー５０３に含まれる操作子に対する操作を実行した場合に、コンテンツ領域５０５とともに元に戻りうる。
【００５１】
図５は、本開示の第２の実施形態に係る端末装置における第２の表示例を示す図である。図５を参照すると、端末装置１００のタッチスクリーンディスプレイ１１０に表示されている画面６００には、ステータスバー６０１と、メニューバー６０３と、コンテンツリスト領域６０５とが含まれる。図示された例において、コンテンツリスト領域６０５には画像コンテンツのサムネイルが表示されている。
【００５２】
図５Ａに示す状態では、コンテンツリスト領域６０５にサムネイルの最初の部分（Ｐ１〜Ｐ９）が表示されている。これらのサムネイルに対する操作、例えば再生、削除、移動などは、メニューバー６０３に表示されたボタンなどの操作子によって取得されうる。しかし、例えばユーザが端末装置１００を片手で把持して操作しており、タッチスクリーンディスプレイ１１０を操作するユーザの指がコンテンツリスト領域６０５の下側に位置している場合、上側にあるメニューバー６０３に配置された操作子の操作が容易ではない場合がある。
【００５３】
そこで、本実施形態では、図５Ｂおよび図５Ｃに示すように、制御部１２０の制御によって、メニューバー６０３がコンテンツリスト領域６０５とともにスクロール移動する。図示された例では、メニューバー６０３が、上方に接して表示されていたステータスバー６０１から離れて下方にスクロール移動している。このスクロール移動も、上記の第１の表示例と同様に一時的なもの（temporary）であるが、瞬間的なもの（transient）ではない。つまり、図５Ｂおよび図５Ｃに示すようにメニューバー６０３がスクロールした状態は、例えばユーザによって次の操作が与えられるまで維持されうる。この状態において、メニューバー６０３に表示されるボタンなどの操作子は、操作可能に維持される。従って、ユーザは、メニューバー６０３を画面６００の下側に移動させたうえで、メニューバー６０３に含まれる操作子に対して所望の操作をすることが可能である。これによって、ユーザは、例えば端末装置１００の把持状態を変更することなく、容易にメニューバー６０３の操作子を操作することができる。
【００５４】
一方、コンテンツリスト領域６０５およびメニューバー６０３のスクロール移動によって生じたステータスバー６０１とメニューバー６０３との間の空白部分には、スペーサ６０７が表示される。スペーサ６０７としては、例えば単純な図形などの画像を表示させてもよいし、広告などの別のコンテンツを表示させてもよい。あるいは、スペーサ６０７として、メニューバー６０３には含まれていない追加の操作子が表示されてもよい。スペーサ６０７として表示される画像、コンテンツ、または操作子は、例えばメニューバー６０３の下方へのスクロール移動とともに上方からスライドして現れてもよい。あるいは、スペーサ６０７として表示される画像、コンテンツ、または操作子は、メニューバー６０３およびコンテンツリスト領域６０５の背後に位置し、メニューバー６０３の下方へのスクロール移動によって隠されていた部分が現れるように表示されてもよい。
【００５５】
図５Ｂおよび図５Ｃに示したようなメニューバー６０３のスクロール移動も、上記の第１の表示例と同様に、コンテンツリスト領域６０５に表示されたコンテンツリストのスクロールとは別途に実行されうる。そこで、例えば、制御部１２０は、タッチスクリーンディスプレイ１１０の操作部１１４によってコンテンツリストのスクロールのための操作とは異なる所定の操作が取得された場合に、メニューバー６０３のスクロール移動を実行してもよい。コンテンツリストのスクロールのための操作、およびメニューバーのスクロール移動のための操作の例については、上記の第１の実施形態におけるコンテンツのスクロールのための操作およびコンテンツ領域のスクロール移動のための操作の例と同様であるため、ここでは重複した説明を省略する。
【００５６】
さらに、制御部１２０は、上記の第１の表示例と同様に、コンテンツリスト領域６０５をスクロール移動させるための操作とメニューバー６０３をスクロール移動させるための操作とをそれぞれ設定し、これらの領域のスクロール移動を選択的に実行してもよい。また、所定の操作によってメニューバー６０３のスクロール移動が開始された場合、以降のドラッグ操作やフリック操作は、例えば後述するメニューバー６０３のスクロール移動を元に戻す操作が取得されるまで、メニューバー６０３のスクロール移動量を制御する操作として扱われてもよい。
【００５７】
上記のような操作によってユーザがメニューバー６０３を所望の位置に配置した結果、図５Ｃのようにメニューバー６０３が画面６００の下端に表示されてコンテンツリスト領域６０５が表示されなくなった状態でユーザの次の操作が取得される場合もありうる。また、図５Ｂのようにメニューバー６０３が画面６００の中ほどに表示され、その下にコンテンツリスト領域６０５が表示された状態でユーザの次の操作が取得されてもよい。このとき、ユーザはメニューバー６０３に対する操作をするためにメニューバー６０３のスクロール移動を実行していると考えられるため、コンテンツリスト領域６０５に表示されているサムネイルの操作を無効化してもよい。あるいは、ユーザの操作の自由度を高めるために、コンテンツリスト領域６０５に表示されるサムネイルが操作可能に維持されてもよい。
【００５８】
スクロール移動されたメニューバー６０３は、例えば、ユーザが上記の所定の操作をもう一度実行したり、逆向きに実行したり、メニューバー６０３がスクロール移動した状態でメニューバー６０３に含まれる操作子に対する操作を実行した場合に元に戻りうる。
【００５９】
（３．第３の実施形態）
次に、図６および図７を参照して、本開示の第３の実施形態について説明する。本実施形態は、コンテンツ領域やコンテンツリスト領域がメニューバーおよびステータスバーとともにスクロール移動する点で、上記の第１および第２の実施形態とは異なる。なお、それ以外の点については第１または第２の実施形態と同様であるため、重複した説明は省略する。
【００６０】
図６は、本開示の第３の実施形態に係る端末装置における第１の表示例を示す図である。図６を参照すると、端末装置１００のタッチスクリーンディスプレイ１１０に表示されている画面５００には、ステータスバー５０１と、メニューバー５０３と、コンテンツ領域５０５とが含まれる。図示された例において、コンテンツ領域５０５にはＷｅｂページが表示されている。
【００６１】
図６Ａに示す状態では、コンテンツ領域５０５にＷｅｂページが表示されている。コンテンツ領域５０５に表示されたＷｅｂページに対する操作、例えば進む、戻る、再読み込み、停止、ブックマーク登録などは、メニューバー５０３に配置されたボタンなどの操作子によって取得されうる。また、例えば端末装置１００のシステム全体に関する、メッセージの着信やソフトウェアの更新などを示すステータス通知は、ステータスバー５０１を選択することによって参照されうる。しかし、例えばユーザが端末装置１００を片手で把持して操作しており、タッチスクリーンディスプレイ１１０を操作するユーザの指がコンテンツ領域５０５の下側に位置している場合、上側にあるメニューバー５０３に配置された操作子の操作や、さらに上側に配置されたステータスバー５０１の選択が容易ではない場合がある。
【００６２】
そこで、本実施形態では、図６Ｂおよび図６Ｃに示すように、制御部１２０の制御によって、ステータスバー５０１がメニューバー５０３およびコンテンツ領域５０５とともにスクロール移動する。図示された例では、ステータスバー５０１が、画面５００の上端部から離れて下方にスクロール移動している。このスクロール移動は一時的なもの（temporary）であるが、瞬間的なもの（transient）ではない。つまり、図６Ｂまたは図６Ｃに示すようにステータスバー５０１がスクロールした状態は、例えばユーザによって次の操作が与えられるまで維持されうる。この状態において、ステータスバー５０１は選択可能に維持される。また、メニューバー５０３に含まれるボタンなどの操作子も、操作可能に維持されうる。従って、ユーザは、ステータスバー５０１およびメニューバー５０３を画面５００の下側に移動させたうえで、ステータスバー５０１を選択して通知を表示させたり、メニューバー５０３に含まれる操作子に対して所望の操作をしたりすることが可能である。つまり、ユーザは、例えば端末装置１００の把持状態を変更することなく、容易にメニューバー５０３の操作子を操作したり、ステータスバー５０１を選択したりすることができる。
【００６３】
一方、ステータスバー５０１、メニューバー５０３、およびコンテンツ領域５０５のスクロール移動によって生じたステータスバー５０１の上方の空白部分には、スペーサ５０７が表示される。スペーサ５０７としては、例えば単純な図形などの画像を表示させてもよいし、広告などの別のコンテンツを表示させてもよい。あるいは、スペーサ５０７として、メニューバー５０３には含まれていない追加の操作子が表示されてもよい。スペーサ５０７として表示される画像、コンテンツ、または操作子は、例えばステータスバー５０１の下方へのスクロール移動とともに上方からスライドして現れてもよい。あるいは、スペーサ５０７として表示される画像、コンテンツ、または操作子は、ステータスバー５０１、メニューバー５０３、およびコンテンツ領域５０５の背後に位置し、ステータスバー５０１の下方へのスクロール移動によって隠されていた部分が現れるように表示されてもよい。
【００６４】
図６Ｂおよび図６Ｃに示したようなステータスバー５０１のスクロール移動は、コンテンツ領域５０５に表示されたコンテンツのスクロールとは別途に実行されうる。例えば、制御部１２０は、タッチスクリーンディスプレイ１１０の操作部１１４によってコンテンツのスクロールのための操作とは異なる所定の操作が取得された場合に、ステータスバー５０１のスクロール移動を実行してもよい。コンテンツのスクロールのための操作、およびステータスバーのスクロール移動のための操作の例については、上記の第１の実施形態におけるコンテンツのスクロールのための操作およびコンテンツ領域のスクロール移動のための操作の例と同様であるため、ここでは重複した説明を省略する。
【００６５】
さらに、制御部１２０は、上記の所定の操作について、コンテンツ領域５０５をスクロール移動させるための操作とステータスバー５０１をスクロール移動させるための操作とをそれぞれ設定し、これらの領域のスクロール移動を選択的に実行してもよい。例えば、制御部１２０は、ダブルタップの後にフリックする操作をコンテンツ領域５０５のスクロール移動のための操作に設定し、指の腹で長押しした後にフリックする動作をステータスバー５０１のスクロール移動のための操作に設定してもよい。
【００６６】
所定の操作によってステータスバー５０１のスクロール移動が開始された場合、以降のドラッグ操作やフリック操作は、例えば後述するステータスバー５０１のスクロール移動を元に戻す操作が取得されるまで、ステータスバー５０１のスクロール移動量を制御する操作として扱われてもよい。つまり、上記の所定の操作が取得された場合、制御部１２０は、画面５００の表示制御のモードを、コンテンツ領域５０５内でコンテンツをスクロールさせるモードから、ステータスバー５０１、メニューバー５０３、およびコンテンツ領域５０５をスクロール移動させるモードへと切り替えてもよい。これによって、ユーザがステータスバー５０１またはメニューバー５０３をスクロール移動によって所望の位置に配置することが容易になりうる。
【００６７】
上記のような操作によってユーザがステータスバー５０１またはメニューバー５０３を所望の位置に配置した結果、図６Ｃのようにステータスバー５０１およびメニューバー５０３が画面５００の下端に表示されてコンテンツ領域５０５が表示されなくなった状態でユーザの次の操作が取得される場合もありうる。また、図６Ｂのようにステータスバー５０１およびメニューバー５０３が画面５００の中ほどに表示され、その下にコンテンツ領域５０５が表示された状態でユーザの次の操作が取得されてもよい。このとき、ユーザはステータスバー５０１またはメニューバー５０３に対する操作をするためにステータスバー５０１のスクロール移動を実行していると考えられるため、コンテンツ領域５０５に表示されている操作子を無効化してもよい。あるいは、ユーザの操作の自由度を高めるために、コンテンツ領域５０５に表示される操作子が操作可能に維持されてもよい。
【００６８】
スクロール移動されたステータスバー５０１およびメニューバー５０３は、例えば、ユーザが上記の所定の操作をもう一度実行したり、逆向きに実行したり、ステータスバー５０１およびメニューバー５０３がスクロール移動した状態でステータスバー５０１に表示された通知の閲覧を終了したりメニューバー５０３に含まれる操作子に対する操作を実行したりした場合に、コンテンツ領域５０５とともに元に戻りうる。
【００６９】
図７は、本開示の第３の実施形態に係る端末装置における第２の表示例を示す図である。図７を参照すると、端末装置１００のタッチスクリーンディスプレイ１１０に表示されている画面６００には、ステータスバー６０１と、メニューバー６０３と、コンテンツリスト領域６０５とが含まれる。図示された例において、コンテンツリスト領域６０５には画像コンテンツのサムネイルが表示されている。
【００７０】
図７Ａに示す状態では、コンテンツリスト領域６０５にサムネイルの最初の部分（Ｐ１〜Ｐ９）が表示されている。これらのサムネイルに対する操作、例えば再生、削除、移動などは、メニューバー６０３に表示されたボタンなどの操作子によって取得されうる。また、例えば端末装置１００のシステム全体に関する、メッセージの着信やソフトウェアの更新などを示す通知は、ステータスバー６０１を選択することによって参照されうる。しかし、例えばユーザが端末装置１００を片手で把持して操作しており、タッチスクリーンディスプレイ１１０を操作するユーザの指がコンテンツリスト領域６０５の下側に位置している場合、上側にあるメニューバー６０３に配置された操作子の操作や、さらに上側に配置されたステータスバー６０１の選択が容易ではない場合がある。
【００７１】
そこで、本実施形態では、図７Ｂおよび図７Ｃに示すように、制御部１２０の制御によって、ステータスバー６０１がメニューバー６０３およびコンテンツリスト領域６０５とともにスクロール移動する。図示された例では、ステータスバー６０１が、画面６００の上端部から離れて下方にスクロール移動している。このスクロール移動も、上記の第１の表示例と同様に一時的なもの（temporary）であるが、瞬間的なもの（transient）ではない。つまり、図７Ｂまたは図７Ｃに示すようにステータスバー６０１がスクロールした状態は、例えばユーザによって次の操作が与えられるまで維持されうる。この状態において、ステータスバー６０１は選択可能に維持される。また、メニューバー６０３に含まれるボタンなどの操作子も、操作可能に維持されうる。従って、ユーザは、ステータスバー６０１およびメニューバー６０３を画面６００の下側に移動させたうえで、ステータスバー６０１を選択して通知を表示させたり、メニューバー６０３に含まれる操作子に対して所望の操作をしたりすることが可能である。つまり、ユーザは、例えば端末装置１００の把持状態を変更することなく、容易にメニューバー６０３の操作子を操作したり、ステータスバー６０１を選択したりすることができる。
【００７２】
一方、ステータスバー６０１、メニューバー６０３、およびコンテンツリスト領域６０５のスクロール移動によって生じたステータスバー６０１の上方の空白部分には、スペーサ６０７が表示される。スペーサ６０７としては、例えば単純な図形などの画像を表示させてもよいし、広告などの別のコンテンツを表示させてもよい。あるいは、スペーサ６０７として、メニューバー６０３には含まれていない追加の操作子が表示されてもよい。スペーサ６０７として表示される画像、コンテンツ、または操作子は、例えばステータスバー６０１の下方へのスクロール移動とともに上方からスライドして現れてもよい。あるいは、スペーサ６０７として表示される画像、コンテンツ、または操作子は、ステータスバー６０１、メニューバー６０３、およびコンテンツリスト領域６０５の背後に位置し、ステータスバー６０１の下方へのスクロール移動によって隠されていた部分が現れるように表示されてもよい。
【００７３】
図７Ｂおよび図７Ｃに示したようなステータスバー６０１のスクロール移動も、上記の第１の表示例と同様に、コンテンツリスト領域６０５に表示されたコンテンツリストのスクロールとは別途に実行されうる。例えば、制御部１２０は、タッチスクリーンディスプレイ１１０の操作部１１４によってコンテンツリストのスクロールのための操作とは異なる所定の操作が取得された場合に、ステータスバー６０１のスクロール移動を実行してもよい。コンテンツリストのスクロールのための操作、およびステータスバーのスクロール移動のための操作の例については、上記の第１の実施形態におけるコンテンツのスクロールのための操作およびコンテンツ領域のスクロール移動のための操作の例と同様であるため、ここでは重複した説明を省略する。
【００７４】
さらに、制御部１２０は、上記の第１の表示例と同様に、コンテンツリスト領域６０５をスクロール移動させるための操作とステータスバー６０１をスクロール移動させるための操作とをそれぞれ設定し、これらの領域のスクロール移動を選択的に実行してもよい。また、所定の操作によってステータスバー６０１のスクロール移動が開始された場合、以降のドラッグ操作やフリック操作は、例えば後述するステータスバー６０１のスクロール移動を元に戻す操作が取得されるまで、ステータスバー６０１のスクロール移動量を制御する操作として扱われてもよい。
【００７５】
上記のような操作によってユーザがステータスバー６０１またはメニューバー６０３を所望の位置に配置した結果、図７Ｃのようにステータスバー６０１およびメニューバー６０３が画面６００の下端に表示されてコンテンツリスト領域６０５が表示されなくなった状態でユーザの次の操作が取得される場合もありうる。また、図７Ｂのようにステータスバー６０１およびメニューバー６０３が画面６００の中ほどに表示され、その下にコンテンツリスト領域６０５が表示された状態でユーザの次の操作が取得されてもよい。このとき、ユーザはステータスバー６０１またはメニューバー６０３に対する操作をするためにステータスバー６０１のスクロール移動を実行していると考えられるため、コンテンツリスト領域６０５に表示されているサムネイルの操作を無効化してもよい。あるいは、ユーザの操作の自由度を高めるために、コンテンツリスト領域６０５に表示されるサムネイルが操作可能に維持されてもよい。
【００７６】
スクロール移動されたステータスバー６０１およびメニューバー６０３は、例えば、ユーザが上記の所定の操作をもう一度実行したり、逆向きに実行したり、ステータスバー６０１およびメニューバー６０３がスクロール移動した状態でステータスバー６０１に表示された通知の閲覧を終了したりメニューバー６０３に含まれる操作子に対する操作を実行したりした場合に、コンテンツリスト領域６０５とともに元に戻りうる。
【００７７】
（４．第４の実施形態）
次に、図８を参照して、本開示の第４の実施形態について説明する。本実施形態では、上記の第１〜第３の実施形態における、コンテンツ領域（またはコンテンツリスト領域）からのスクロール移動と、メニューバーからのスクロール移動と、ステータスバーからのスクロール移動とが、端末装置１００のＯＳ（Operating  System）、画面を表示させるアプリケーションのサポート状態に応じて使い分けられる。
【００７８】
図８は、本開示の第４の実施形態に係る端末装置における処理の例を示すフローチャートである。まず、端末装置１００の操作部１１４が、コンテンツ（またはコンテンツリスト）のスクロールではないスクロール移動を示す所定の操作を取得する（ステップＳ１０１）。ここで、所定の操作は、例えば上述したようにダブルタップの２回目でフリックする、指の腹で長押しする、指の腹で長押しした後にフリックする、指の腹でドラッグする、タップしながら指を上下に数回動かした後にフリックする、（付加的に）端末装置１００の背面に設けられたタッチセンサを操作する、（付加的に）端末装置１００の側面またはディスプレイの縁に設けられたタッチセンサを操作する、タップしながら端末装置１００をシェイクする、などでありうる。
【００７９】
ここで、操作部１１４によって所定の操作が取得されたと判定された場合、制御部１２０は、表示部１１２を制御して、別のスクロール表示モードが開始されたことを示すエフェクトを表示させてもよい。例えば、画面中のスクロール移動する部分（例えば図２の例ではコンテンツ領域５０５、図４の例ではメニューバー５０３、図６の例ではステータスバー５０１）に紙がはがれるようなエフェクトが表示されてもよい。また、これらの部分がわずかに縮小されてフロートしているように見えるようなエフェクトが表示されてもよい。これらのエフェクトは、開始時だけではなく、スクロール移動の途中でも表示されうる。
【００８０】
次に、ＯＳがスクロール移動の機能をサポートしているか否かの判定が実施され（ステップＳ１０３）、ＯＳが機能をサポートしていれば（ＹＥＳ）、第３の実施形態のようなステータスバーからのスクロール移動が実行される（ステップＳ１０５）。本実施形態では、ステータスバーはＯＳの機能によって表示されるため、ステータスバーからのスクロール移動を実現するためにはＯＳがスクロール移動の機能をサポートしていることが必要である。もちろん、ＯＳが機能をサポートしている場合であっても、メニューバーからのスクロール移動やコンテンツ領域（またはコンテンツリスト領域）からのスクロール移動が実行されてもよい。
【００８１】
一方、ステップＳ１０３の判定において、ＯＳが機能をサポートしていない場合（ＮＯ）、画面を表示させているアプリケーションがスクロール移動の機能をサポートしているか否かの判定が実施される（ステップＳ１０７）。ここで、アプリケーションが機能をサポートしていれば（ＹＥＳ）、第２の実施形態のようなメニューバーからのスクロール移動が実行される（ステップＳ１０９）。本実施形態では、メニューバーはアプリケーションの機能によって表示されるため、メニューバーからのスクロール移動を実現するためにはアプリケーションがスクロール移動の機能をサポートしていることが必要である。もちろん、アプリケーションが機能をサポートしている場合であっても、コンテンツ領域（またはコンテンツリスト領域）からのスクロール移動が実行されてもよい。
【００８２】
一方、ステップＳ１０７の判定において、アプリケーションが機能をサポートしていない場合（ＮＯ）、第１の実施形態のようなコンテンツ領域（コンテンツリスト領域）からのスクロール移動が実行される（ステップＳ１１１）。このとき、制御部１２０は、例えばコンテンツ（またはコンテンツリスト）の先頭部に、スペーサとして表示されるダミーのコンテンツ部分や広告などを付加し、通常のコンテンツ（またはコンテンツリスト）のスクロールに続いてこれらのコンテンツ部分や広告が表示されるようにする。
【００８３】
（５．その他の実施形態）
（５−１．上方へのスクロール移動）
図９および図１０は、本開示の他の実施形態における上方へのスクロール移動の例を示す図である。図９Ａ〜図９Ｃはコンテンツ表示における例を示し、図１０Ａ〜図１０Ｃはコンテンツリスト表示における例を示す。上述した第１〜第３の実施形態では、タッチスクリーンディスプレイ１１０を操作するユーザの指がコンテンツ領域５０５（またはコンテンツリスト領域６０５）の下側に位置している場合を例として説明したが、同様に、ユーザの指がコンテンツ領域５０５（またはコンテンツリスト領域６０５）の上側に位置する場合、上方へのスクロール移動によって操作性の向上を図ってもよい。
【００８４】
例えば、図９Ａおよび図１０Ａの例に示すように、コンテンツ領域５０５（またはコンテンツリスト領域６０５）を上方にスクロール移動させて操作子やサムネイルをユーザの操作しやすい範囲に近付けてもよい。同様に、図９Ｂおよび図１０Ｂの例に示すようにメニューバー５０３，６０３が画面５００，６００の上端ではなく下端に表示される場合、メニューバー５０３，６０３を上方にスクロール移動させてもよい。また、図９Ｃおよび図１０Ｃの例に示すようにステータスバー５０１，６０１が画面５００，６００の下端に表示される場合、ステータスバー５０１，６０１を上方にスクロール移動させてもよい。
【００８５】
（５−２．自動停止およびスペーサの表示）
図１１は、本開示の他の実施形態における自動停止およびスペーサの表示の例を示す図である。図示された例では、ステータスバー６０１からのスクロール移動が実行される。図１１Ａでは、ステータスバー６０１のスクロール移動のモードは開始されておらず、コンテンツリスト領域６０５に表示された画像コンテンツのサムネイル（Ｐ１０〜Ｐ１７）がスクロール表示されている。ここで、上述したような所定の操作、例えば指の腹での長押しや、指の腹でのスクロール、タップしながら端末装置１００をシェイクするなどの操作が取得されると、制御部１２０がステータスバー６０１のスクロール移動のモードを開始させる。
【００８６】
図１１Ｂは、ステータスバー６０１のスクロール移動のモードが開始されたときの表示例である。このとき、ステータスバー６０１、メニューバー６０３、およびコンテンツリスト領域６０５が、（キャプチャされたときのように）表示内容を保ったまま少し下方に移動する。移動によって生じた空白部分には、スペーサ６０７が表示される。図示された例において、スペーサ６０７は、画面６００の上端からステータスバー６０１を吊るす紐のような画像でありうる。図１１Ｂの時点では、この紐はかなり弛んでいる。
【００８７】
図１１Ｃは、ステータスバー６０１のスクロール移動が進行中の表示例である。このとき、ステータスバー６０１、メニューバー６０３、およびコンテンツリスト領域６０５は、引き続き図１１Ａの時点での表示内容を保ったまま下方へ移動している。上述のように、この状態でも、ステータスバー６０１の選択や、メニューバー６０３に含まれる操作子への操作が可能でありうる。また、スペーサ６０７として表示されている紐は、画面６００の上端とステータスバー６０１との間の距離が広がってきたことを反映して、徐々に弛みが小さくなっている。
【００８８】
図１１Ｄは、ステータスバー６０１のスクロール移動が停止した時の表示例である。このとき、ステータスバー６０１およびメニューバー６０３は、画面６００の下端近くまで移動しており、例えば画面６００の下側に位置するユーザの指で十分に操作しやすい位置にあるものと推定される。従って、制御部１２０は、この位置をステータスバー６０１のスクロール移動の限界点に設定してもよい。このとき、スペーサ６０７として表示されている紐は、ステータスバー６０１の下方への移動が限界に達したことを反映して、張りつめた状態で表示されている。
【００８９】
図示された例では、端末装置１００の制御部１２０がステータスバー６０１のスクロール移動の移動量を自動的に決定するため、ユーザが調整しなくても適切な位置でステータスバー６０１およびメニューバー６０３のスクロール移動を停止させることができる。ここで、スクロール移動の移動量は、操作可能に維持される操作子の表示サイズ、すなわち上記の例ではステータスバー６０１やメニューバー６０３に表示される操作子の表示サイズに応じて決定されうる。また、スペーサ６０７として、上記の例の紐のように、自動的に決定された移動量と現在の移動量との関係を表現する画像を表示させることによって、どこまでスクロール移動が進むかをユーザが直感的に認識することができる。もちろん、メニューバー６０３やコンテンツリスト領域６０５のスクロール移動、および画面５００の各領域のスクロール移動において同様の制御および表示をすることも可能である。
【００９０】
（５−３．元に戻すときの表示）
図１２は、図１１に示したスクロール移動を元に戻すときの表示例を示す図である。図１２Ａは、図１１Ｄと同じ表示であるが、ここでスクロール移動を元に戻すための所定の操作、例えばタップして上方にフリックする操作が取得されると、制御部１２０がステータスバー６０１のスクロール移動を元に戻すための制御を開始する。図示された例では、上記の所定の操作によって、自動的にスクロール移動が元に戻される。図１２Ｂはその途中の状態を示す。例えば図１１Ｃの例とは異なり、スペーサ６０７として表示される紐は張りつめた状態のままであり、例えばステータスバー６０１が上方に引き上げられるような動きを表現してもよい。
【００９１】
図１２Ｃに示すように、ステータスバー６０１が画面６００の上端まで移動されると、ステータスバー６０１のスクロール移動のモードが終了し、以降、コンテンツ領域６０５に表示されたサムネイルのスクロール表示が再開される。なお、上記の例では図１２Ａでの操作によって自動的にスクロール移動が元に戻ったが、他の例では、ユーザが図１２Ｃの状態になるまで上方へのドラッグ操作またはフリック操作を実行することによって、手動でスクロール移動が元に戻されてもよい。この場合、途中で上方への操作を中止し、再び図１２Ａの状態に戻すことも可能である。それゆえ、図１２Ｂでのスペーサ６０７の表示は、図１１Ｃと同様にやや弛んだ紐であり、ステータスバー６０１が上下どちらにも移動可能であることを表現してもよい。
【００９２】
図１３は、図１１に示したスクロール移動を元に戻すときの別の表示例を示す図である。図１３Ａは、図１１Ｄと同じ表示であるが、ここでステータスバー６０１を選択する操作が取得される。上述の通り、ステータスバー６０１にはメッセージの着信やソフトウェアの更新などを示す通知が表示されるため、ステータスバー６０１を選択すると、図１３Ｂに示すようにステータス画面６０９を参照することができる。図示された例では、ステータス画面６０９に表示される閉じるボタン６１１を選択することで、ステータス画面６０９の表示が終了するともに、図１３Ｃに示すようにステータスバー６０１の表示位置が元に戻り、スクロール移動のモードが終了する。
【００９３】
図１４は、図１１に示したスクロール移動を元に戻すときのさらに別の表示例を示す図である。図１４Ａは、図１１Ｄと同じ表示であるが、ここでメニューバー６０３に含まれる操作子を介した操作によって、アプリケーション内での画面遷移、つまりドキュメントの表示の変化が発生する。図示された例では、図１４Ｂに示すような地図表示画面６５０への遷移が実行されているが、このときにステータスバー６０１のスクロール移動が元に戻されている。ステータスバー６０１の位置はすぐに元に戻ってもよいし、アニメーションなどが表示されて所定の時間をかけて戻ってもよい。一方、図１４Ａの表示で、メニューバー６０３に含まれる操作子を介してコンテンツリスト領域６０５に表示された画像コンテンツのサムネイルに対する操作、例えばコンテンツの削除などが実行された場合も、画面遷移は発生しないが、図１４Ｃに示すようにステータスバー６０１のスクロール移動が元に戻されてもよい。
【００９４】
（５−４．横画面の場合の表示）
図１５は、本開示の他の実施形態における横画面の表示例を示す図である。図１５Ａの例では、横画面７００で右側に接触領域（Ｔｏｕｃｈ）がある場合、表示内容が右の方にスクロール移動し、空いた部分にスペーサ７０７が表示される。また、図１５Ｂの例では、横画面７００で左側に接触領域（Ｔｏｕｃｈ）がある場合、表示内容が左の方にスクロール移動し、空いた部分にスペーサ７０７が表示される。このように、上述した本開示の実施形態は、スマートフォンなどの端末装置１００において、縦画面と同様にして横画面にも適用可能である。
【００９５】
（５−５．大型画面の場合の表示）
図１６は、本開示の他の実施形態における大型画面の表示例を示す図である。図１６Ａの例では、大型画面８００で右下に接触領域（Ｔｏｕｃｈ）がある場合、表示内容が右下にスクロール移動し、空いたＬ字状の部分にスペーサ８０７が表示される。また、図１６Ｂの例では、大型画面８００で左下に接触領域（Ｔｏｕｃｈ）がある場合、表示内容が左下にスクロール移動し、空いたＬ字状の部分にスペーサ８０７が表示される。このように、上述した本開示の実施形態は、タブレット端末などの端末装置１００において、縦横両方へのスクロールがありうる大型画面にも適用可能である。この場合、スクロール移動の移動方向は、上記の例のように、所定のユーザ操作が実行されたタッチスクリーンディスプレイ上またはタッチスクリーンディスプレイの周囲の筐体上の位置に応じて決定されうる。
【００９６】
（６．補足）
上述した実施形態では、端末装置における表示制御が端末装置の内部で実行され、端末装置が表示制御装置として機能したが、本開示の実施形態はこのような例には限られない。例えば、端末装置とネットワークを介して通信するサーバが端末装置における表示制御の機能を提供してもよい。この場合、サーバを構成する１または複数のサーバ装置が、表示制御装置として機能する。
【００９７】
本開示の実施形態は、例えば、上記で説明したような表示制御装置（端末装置またはサーバ装置）、システム、表示装置またはシステムで実行される方法、表示制御装置を機能させるためのプログラム、およびプログラムが記録された一時的でない有形の媒体を含みうる。
【００９８】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【００９９】
なお、以下のような構成も本開示の技術的範囲に属する。
（１）タッチスクリーンディスプレイの表示を制御する表示制御部を備え、
前記表示制御部は、
前記タッチスクリーンディスプレイに表示されるドキュメントを該ドキュメントを含む表示領域内でスクロールさせる第１のスクロール制御と、前記表示領域をスクロール移動させる第２のスクロール制御とを実行し、
前記第２のスクロール制御による前記スクロール移動の間、前記表示領域のスクロール移動によって生じた表示空白部分に前記ドキュメントとは異なるスペーサを表示させるとともに、前記表示領域に含まれる操作子の少なくとも一部を操作可能に維持し、
前記表示制御部に前記第１のスクロール制御を実行させるための第１のユーザ操作と、前記表示制御部に前記第２のスクロール制御を実行させるための第２のユーザ操作とは、前記タッチスクリーンディスプレイ上の前記表示領域に対する互いに異なるタッチ操作である
表示制御装置。
（２）前記表示制御部は、前記第２のスクロール制御において前記表示領域を一時的にスクロール移動させる、前記（１）に記載の表示制御装置。
（３）前記第１のユーザ操作は、前記第２のユーザ操作に比較して簡潔な操作である、前記（１）または（２）に記載の表示制御装置。
（４）前記表示制御部は、前記第２のスクロール制御における前記スクロール移動の移動量を自動的に決定する、前記（１）〜（３）のいずれか１項に記載の表示制御装置。
（５）前記スクロール移動の移動量は、前記操作可能に維持される操作子の表示サイズに応じて決定される、前記（４）に記載の表示制御装置。
（６）前記スペーサは、前記自動的に決定された移動量と現在の移動量との関係を表現する画像である、前記（４）または（５）に記載の表示制御装置。
（７）前記表示制御部は、前記第２のスクロール制御における前記スクロール移動の間、前記ドキュメント内に配置された操作子を操作可能に維持する、前記（１）〜（６）のいずれか１項に記載の表示制御装置。
（８）前記表示領域は、前記ドキュメントと、前記ドキュメントに関する操作を受け付ける操作子が配置された操作子配置領域とを含み、
前記表示制御部は、前記第２のスクロール制御における前記スクロール移動の間、前記操作子配置領域に配置された操作子を操作可能に維持する、前記（１）に記載の表示制御装置。
（９）前記表示制御部は、前記第２のスクロール制御における前記スクロール移動の間、前記ドキュメント内に配置された操作子の操作を無効化する、前記（８）に記載の表示制御装置。
（１０）前記表示領域は、前記ドキュメントと、前記タッチスクリーンディスプレイを有する装置のステータスを表示するステータス表示領域とを含み、
前記表示制御部は、前記第２のスクロール制御における前記スクロール移動の間、前記ステータス表示領域を操作可能に維持する、前記（１）に記載の表示制御装置。
（１１）前記表示制御部は、前記第２のスクロール制御において、前記ステータス表示領域への操作によって表示されるステータス画面の表示が終了したときに前記スクロール移動を元に戻す、前記（１０）に記載の表示制御装置。
（１２）前記表示制御部は、前記第２のスクロール制御において、前記操作可能に維持される操作子への操作によって前記ドキュメントの表示が変化したときに前記スクロール移動を元に戻す、前記（１）〜（１１）のいずれか１項に記載の表示制御装置。
（１３）前記表示制御部は、前記第２のスクロール制御において、前記操作可能に維持される操作子への操作が実行されたときに前記スクロール移動を元に戻す、前記（１）〜（１１）のいずれか１項に記載の表示制御装置。
（１４）前記タッチスクリーンディスプレイにおいて、前記第２のスクロール制御がない場合の前記表示領域の位置は固定されている、前記（１）〜（１３）のいずれか１項に記載の表示制御装置。
（１５）前記第２のスクロール制御における前記スクロール移動の移動方向は、前記第２のユーザ操作が実行された前記タッチスクリーンディスプレイ上または前記タッチスクリーンディスプレイの周囲の筐体上の位置に応じて決定される、前記（１）〜（１４）のいずれか１項に記載の表示制御装置。
（１６）前記タッチスクリーンディスプレイを構成する表示部および操作部、記憶部、ならびに通信部をさらに備え、
前記表示制御部は、前記表示部における表示を制御する、前記（１）〜（１５）のいずれか１項に記載の表示制御装置。
（１７）スマートフォンまたはタブレット端末である、前記（１６）に記載の表示制御装置。
（１８）タッチスクリーンディスプレイの表示を制御するプロセッサが、
前記タッチスクリーンディスプレイに表示されるドキュメントを該ドキュメントを含む表示領域内でスクロールさせる第１のスクロール制御と、前記表示領域をスクロール移動させる第２のスクロール制御とを実行することと、
前記第２のスクロール制御による前記スクロール移動の間、前記表示領域のスクロール移動によって生じた表示空白部分に前記ドキュメントとは異なるスペーサを表示させるとともに、前記表示領域に含まれる操作子の少なくとも一部を操作可能に維持することと
を含み、
前記プロセッサに前記第１のスクロール制御を実行させるための第１のユーザ操作と、前記プロセッサに前記第２のスクロール制御を実行させるための第２のユーザ操作とは、前記タッチスクリーンディスプレイ上の前記表示領域に対する互いに異なるタッチ操作である表示制御方法。
（１９）タッチスクリーンディスプレイの表示を制御するコンピュータに、
前記タッチスクリーンディスプレイに表示されるドキュメントを該ドキュメントを含む表示領域内でスクロールさせる第１のスクロール制御と、前記表示領域をスクロール移動させる第２のスクロール制御とを実行する機能と、
前記第２のスクロール制御による前記スクロール移動の間、前記表示領域のスクロール移動によって生じた表示空白部分に前記ドキュメントとは異なるスペーサを表示させるとともに、前記表示領域に含まれる操作子の少なくとも一部を操作可能に維持する機能と
を実現させ、
前記コンピュータに前記第１のスクロール制御を実行させるための第１のユーザ操作と、前記コンピュータに前記第２のスクロール制御を実行させるための第２のユーザ操作とは、前記タッチスクリーンディスプレイ上の前記表示領域に対する互いに異なるタッチ操作であるプログラム。
【符号の説明】
【０１００】
１００    端末装置
１１０    タッチスクリーンディスプレイ
１１２    表示部
１１４    操作部
１２０    制御部
１３０    記憶部
１４０    通信部
【図１】
2020017311.tif 000003
【図２】
2020017311.tif 000004
【図３】
2020017311.tif 000005
【図４】
2020017311.tif 000006
【図５】
2020017311.tif 000007
【図６】
2020017311.tif 000008
【図７】
2020017311.tif 000009
【図８】
2020017311.tif 000010
【図９】
2020017311.tif 000011
【図１０】
2020017311.tif 000012
【図１１】
2020017311.tif 000013
【図１２】
2020017311.tif 000014
【図１３】
2020017311.tif 000015
【図１４】
2020017311.tif 000016
【図１５】
2020017311.tif 000017
【図１６】
2020017311.tif 000018
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
タッチスクリーンディスプレイ上に表示されるコンテンツの表示を制御する制御部を備え、
前記制御部は、
前記コンテンツが表示されている場合に、前記タッチスクリーンディスプレイにおける下側領域の右又は左に対応するタッチ操作が行われたことに応じて、前記タッチ操作が行われる前に表示されている前記コンテンツとは異なるコンテンツが表示されているＬ字形状を含むスペーサを表示させ、
前記タッチ操作が行われる前に前記スペーサが表示される位置に表示されていた前記コンテンツを、前記タッチ操作が行われる前に前記コンテンツが表示されていた位置よりも前記スペーサに対応した下方に表示させる、情報処理装置。
【請求項２】
前記Ｌ字形状は、少なくとも前記タッチスクリーンディスプレイにおける上側の辺である第１の辺を含む、請求項１に記載の情報処理装置。
【請求項３】
前記Ｌ字形状は、前記タッチ操作における右又は左に対応する前記タッチスクリーンディスプレイにおける右辺又は左辺を第２の辺を含む、請求項２に記載の情報処理装置。
【請求項４】
前記Ｌ字形状は、
前記タッチ操作が前記タッチスクリーンディスプレイにおける下側領域の右側領域を起点とする場合、前記第２の辺が前記左辺である、または、
前記タッチ操作が前記タッチスクリーンディスプレイにおける下側領域の左側領域を起点とする場合、前記第２の辺が前記右辺である、請求項３に記載の情報処理装置。
【請求項５】
前記制御部はさらに、前記コンテンツが表示されている場合に、前記コンテンツをスクロールさせる第２のタッチ操作が行われたことに応じて、前記コンテンツをスクロールさせる、請求項１に記載の情報処理装置。
【請求項６】
前記スペーサの表示、および前記コンテンツの前記スペーサに対応した下方への表示は、前記第２のタッチ操作によるスクロールの状態に関わらずに実行される、請求項５に記載の情報処理装置。
【請求項７】
前記異なるコンテンツは、広告情報を含む、請求項１に記載の情報処理装置。
【請求項８】
前記異なるコンテンツは、前記タッチ操作が行われる前には前記タッチスクリーンディスプレイ上に表示されていない操作子を含む、請求項１に記載の情報処理装置。
【請求項９】
前記コンテンツは操作子を含み、
前記制御部は、前記タッチ操作に応じて前記コンテンツの表示位置が変更された後にも前記操作子を操作可能に維持する、請求項１に記載の情報処理装置。
【請求項１０】
前記タッチスクリーンディスプレイは、前記タッチスクリーンディスプレイが備えられた筐体がユーザの手により把持された状態で前記ユーザが前記タッチスクリーンディスプレイを操作可能となるように前記筐体に備えられる、請求項１に記載の情報処理装置。
【請求項１１】
前記タッチ操作は、表示されている前記コンテンツ上および／または前記タッチスクリーンディスプレイの縁に設けられたタッチセンサ上でのドラッグ操作および／またはフリック操作である、請求項１に記載の情報処理装置。
【請求項１２】
タッチスクリーンディスプレイ上に表示されるコンテンツの表示をプロセッサが制御すること、
を含み、
前記コンテンツが表示されている場合に、前記タッチスクリーンディスプレイにおける下側領域の右又は左に対応するタッチ操作が行われたことに応じて、前記タッチ操作が行われる前に表示されている前記コンテンツとは異なるコンテンツが表示されているＬ字形状を含むスペーサを表示させることと、
前記タッチ操作が行われる前に前記スペーサが表示される位置に表示されていた前記コンテンツを、前記タッチ操作が行われる前に前記コンテンツが表示されていた位置よりも前記スペーサに対応した下方に表示させることと、を含む情報処理方法。
【請求項１３】
コンピュータを、
タッチスクリーンディスプレイ上に表示されるコンテンツの表示を制御する制御部、として機能させるためのプログラムであって、
前記制御部は、前記コンテンツが表示されている場合に、前記タッチスクリーンディスプレイにおける下側領域の右又は左に対応するタッチ操作が行われたことに応じて、前記タッチ操作が行われる前に表示されている前記コンテンツとは異なるコンテンツが表示されているＬ字形状を含むスペーサを表示させ、
前記タッチ操作が行われる前に前記スペーサが表示される位置に表示されていた前記コンテンツを、前記タッチ操作が行われる前に前記コンテンツが表示されていた位置よりも前記スペーサに対応した下方に表示させる、プログラム。